(57)【要約】      （修正有）【課題】複数のセンサの一部の計測結果に基づいて着座者の生理的状態を判定する状態判定システムの提供。【解決手段】着座シートの着座面において変化する計測対象値を計測するセンサが、着座シートの幅方向及び前後方向を座標軸方向としたときのセンサ配置位置の座標が互いに異なるように、複数配置されている。また、着座面を複数のエリアに区画したときの各々のエリアに対して複数のセンサの一部を対応付けることで規定される対応関係を記憶する記憶部２１と、双方を座標軸の軸方向としたときに定められる着座者の重心位置の座標が、複数のエリアのうち、どのエリア内にあるのかを特定するエリア特定部２２と、記憶部が記憶した対応関係から、複数のセンサのうち、エリア特定部が特定したエリアと対応した一部のセンサを選定するセンサ選定部２３と、選定した一部のセンサの計測結果に基づいて着座者の生理的状態を判定する判定部２４と、が設けられている。【選択図】図２
2016120143.tif 000002
【特許請求の範囲】
【請求項１】
着座シートの着座面において着座者の生理的活動に応じて変化する計測対象値を計測するセンサと、
該センサの計測結果に基づいて前記着座者の生理的状態を判定する判定装置と、を有し、
前記センサは、前記着座シートの幅方向及び前後方向の双方を座標軸の軸方向としたときに定められる前記センサの配置位置の座標が互いに異なるように、複数配置されており、
前記判定装置は、
前記着座面を複数のエリアに区画したときの各々の前記エリアに対して複数の前記センサの一部を対応付けることで規定される対応関係を記憶する記憶部と、
前記双方を座標軸の軸方向としたときに定められる前記着座者の重心位置の座標が、複数の前記エリアのうち、どのエリア内にあるのかを特定するエリア特定部と、
前記記憶部が記憶した前記対応関係から、複数の前記センサのうち、前記エリア特定部が特定した前記エリアと対応した一部の前記センサを選定するセンサ選定部と、
該センサ選定部が選定した一部の前記センサの計測結果に基づいて前記生理的状態を判定する判定部と、を有することを特徴とする状態判定システム。
【請求項２】
前記記憶部は、前記双方のそれぞれにおいて２つ以上の前記エリアが存在するように前記着座面を区画したときの各々の前記エリアに対して複数の前記センサの一部を対応付けることで規定される前記対応関係を記憶していることを特徴とする請求項１に記載の状態判定システム。
【請求項３】
前記記憶部は、前記前後方向において後側に位置する前記エリアの数が前側に位置する前記エリアの数よりも多くなるように前記着座面を区画したときの各々の前記エリアに対して複数の前記センサの一部を対応付けることで規定される前記対応関係を記憶していることを特徴とする請求項２に記載の状態判定システム。
【請求項４】
前記センサは、少なくとも３個以上配置されており、
前記記憶部は、各々の前記エリアに対して２個の前記センサを対応付けることで規定される前記対応関係を記憶していることを特徴とする請求項１乃至３のいずれか一項に記載の状態判定システム。
【請求項５】
前記記憶部は、各々の前記エリアに対して、複数の前記センサのうち、各々の前記エリア内に前記重心位置の座標があるときに前記配置位置の座標が前記幅方向において前記重心位置の座標を跨いでいる２個の前記センサを対応付けることで規定される前記対応関係を記憶していることを特徴とする請求項４に記載の状態判定システム。
【請求項６】
前記記憶部は、前記幅方向において前記着座面の中央位置を挟んで前記エリアが対称的に存在するように前記着座面を区画したときの各々の前記エリアに対して複数の前記センサの一部を対応付けることで規定される前記対応関係を記憶していることを特徴とする請求項１乃至５のいずれか一項に記載の状態判定システム。
【請求項７】
前記記憶部は、前記幅方向に並ぶ少なくとも３つ以上の前記エリアのうち、前記着座面の中央位置により近い前記エリアの前記幅方向における長さが前記中央位置からより離れた前記エリアの前記長さよりも短くなるように前記着座面を区画したときの各々の前記エリアに対して複数の前記センサの一部を対応付けることで規定される前記対応関係を記憶していることを特徴とする請求項１乃至６のいずれか一項に記載の状態判定システム。
【請求項８】
前記前後方向において後側に配置された前記センサの数は、前側に配置された前記センサの数よりも多いことを特徴とする請求項１乃至７のいずれか一項に記載の状態判定システム。
【請求項９】
前記前後方向において後側には４つの前記センサが、前記幅方向において前記着座面の中央位置を挟んで対称的に配置され、前側には２つの前記センサが、前記幅方向において前記中央位置を挟んで対称的に配置されていることを特徴とする請求項８に記載の状態判定システム。
【請求項１０】
前記記憶部は、各々の前記エリアに対して、複数の前記センサのうち、各々の前記エリア内に前記重心位置の座標があるときに前記生理的活動の前記計測対象値の計測結果への反映度がより高くなる前記センサを対応付けることで規定される前記対応関係を記憶していることを特徴とする請求項１に記載の状態判定システム。
【請求項１１】
前記判定装置は、前記センサ選定部が選定した一部の前記センサの計測結果の変化度合いを特定する変化度合い特定部を更に有し、
該変化度合い特定部が特定した前記変化度合いの大きさが閾値を超えたとき、前記エリア特定部が前記エリアを特定し直すのに伴って前記センサ選定部が一部の前記センサを選定し直し、選定し直した一部の前記センサのみの計測結果に基づいて前記判定部が前記生理的状態を判定し、
前記変化度合い特定部が特定した前記変化度合いの大きさが前記閾値を下回るとき、前記判定部は、前記変化度合い特定部が前記変化度合いを特定する前の時点で前記センサ選定部が選定した一部の前記センサのみの計測結果に基づいて前記生理的状態を判定することを特徴とする請求項１乃至１０のいずれか一項に記載の状態判定システム。
【発明の詳細な説明】
【技術分野】
【０００１】
本発明は、着座シートの着座者の生理的状態を判定する状態判定システムに係り、特に、着座者の生理的活動に応じて変化する計測対象値を計測するセンサが複数設けられた状態判定システムに関する。
【背景技術】
【０００２】
着座シートの着座面において着座者の生理的活動に応じて変化する計測対象値を計測し、その計測結果に基づいて着座者の生理的状態を判定する状態判定システムは、既に知られている。状態判定システムの一例を挙げると、車両用シートの着座面に掛かる圧力を計測する圧力センサにて着座者の呼吸（具体的には、呼吸に伴う体表面の振動）を検出し、その検出結果に基づいて着座者の覚醒状態を判定するシステムが知られている。
【０００３】
また、状態判定システムの中には、上記の計測対象値を計測するセンサを複数箇所に設けているものが存在する。このように複数のセンサが設けられている構成では、例えば、それぞれのセンサの計測結果を集計して平均値等の代表値を求め、当該代表値に基づいて状態判定を行うことになる。ただし、複数のセンサすべての計測結果を集計することになるため、その分、処理負荷が大きくなってしまう。また、複数のセンサの各々の配置位置が互いに異なるので、各センサの計測結果は、着座面において着座者が実際に座る位置や着座者の姿勢に応じて変動することになる。
【０００４】
以上の事情から、複数のセンサが設けられた状態判定システムにおいて、複数のセンサの中から適当なセンサを選定し、選定したセンサのみの集計結果に基づいて状態判定を行うことが考えられる。具体例を挙げて説明すると、特許文献１に記載の状態判定システム（特許文献１では「覚醒度推定装置」）では、複数のセンサの中から、着座者に安定して接触していると判定されるセンサを特定し、特定したセンサのみの計測結果に基づいて状態判定を行う。別の例を挙げると、特許文献２に記載の状態判定システム（特許文献２では「生体情報取得装置」）では、複数のセンサのそれぞれに対して、着座者の心拍を正確に検出しているかどうかの評価値を算出し、評価値が最も高いセンサのみの計測結果に基づいて状態判定を行う。
【先行技術文献】
【特許文献】
【０００５】
【特許文献１】特開２０１３−１７２８９９号公報
【特許文献２】特開２０１３−９９５２８号公報
【発明の概要】
【発明が解決しようとする課題】
【０００６】
ところで、複数のセンサが設けられた状態判定システムにおいて、複数のセンサの中から一部のセンサを選定して当該一部のセンサの計測結果に基づいて状態判定を行う場合には、簡単且つ適切にセンサを選定するのが望ましい。しかしながら、特許文献１では、選定されるセンサ（厳密には、着座者に安定して接触していると判定されるセンサ）について、具体的な特定方法が記載されていない。また、特許文献２では、センサを選定するにあたり、複数のセンサのそれぞれに対して評価値を算出するために演算処理等の処理負荷が高くなる。
【０００７】
一方、前述したように、複数のセンサの各々がその配置箇所にて計測対象値を計測した際の計測結果は、着座面において着座者が実際に座る位置（以下、座位置）や着座者の姿勢に応じて変動する。また、着座者が身動き等して上記の座位置や姿勢自体が変化する場合があり、かかる場合において複数のセンサの中から一部のセンサを選定する際には、変化後の座位置や姿勢を考慮してセンサを改めて選定する必要がある。
【０００８】
そこで、本発明は、上記の問題に鑑みてなされたものであり、その目的は、複数のセンサの中から一部のセンサを選定し当該一部のセンサの計測結果に基づいて着座者の生理的状態を判定する状態判定システムとして、簡単且つ適切にセンサを選定することが可能なシステムを提供することにある。
また、本発明の他の目的は、着座者が身動き等して着座状態が変化した場合において変化後の着座状態を考慮してセンサを選定することである。
【課題を解決するための手段】
【０００９】
前記課題は、本発明の状態判定システムによれば、着座シートの着座面において着座者の生理的活動に応じて変化する計測対象値を計測するセンサと、該センサの計測結果に基づいて前記着座者の生理的状態を判定する判定装置と、を有し、前記センサは、前記着座シートの幅方向及び前後方向の双方を座標軸の軸方向としたときに定められる前記センサの配置位置の座標が互いに異なるように、複数配置されており、前記判定装置は、前記着座面を複数のエリアに区画したときの各々の前記エリアに対して複数の前記センサの一部を対応付けることで規定される対応関係を記憶する記憶部と、前記双方を座標軸の軸方向としたときに定められる前記着座者の重心位置の座標が、複数の前記エリアのうち、どのエリア内にあるのかを特定するエリア特定部と、前記記憶部が記憶した前記対応関係から、複数の前記センサのうち、前記エリア特定部が特定した前記エリアと対応した一部の前記センサを選定するセンサ選定部と、該センサ選定部が選定した一部の前記センサの計測結果に基づいて前記生理的状態を判定する判定部と、を有することにより解決される。
【００１０】
以上のように構成された本発明の状態判定システムでは、着座面を複数のエリアに区画し、複数のエリアの各々に対して、複数のセンサのうちの一部が対応付けられている。その上で、着座者の重心位置の座標が複数のエリアのうち、どのエリア内にあるのかを特定し、特定したエリアと対応したセンサを選定する。そして、選定された一部のセンサのみの計測結果に基づいて着座者の生理的状態を判定する。このように本発明の状態判定システムでは、着座者の着座状態を示す指標として重心位置を用い、この重心位置に基づいてセンサを選定するため、着座者の着座状態を考慮して適当と考えられるセンサを選定することが可能となる。また、センサを選定する際には、重心位置が属するエリアを特定した上で、エリアとセンサとの対応関係を記憶部から読み出し当該対応関係を参照することで、重心位置が属するエリアと対応したセンサを選定することになる。これにより、複数のセンサの中から適当なセンサを容易に選定することが可能となる。
【００１１】
また、上記の状態判定システムにおいて、前記記憶部は、前記双方のそれぞれにおいて２つ以上の前記エリアが存在するように前記着座面を区画したときの各々の前記エリアに対して複数の前記センサの一部を対応付けることで規定される前記対応関係を記憶していると、好適である。
上記の構成によれば、着座シートの前後方向及び幅方向のそれぞれにおいて２つ以上のエリアが存在するように着座面を区画し、各エリアに対して複数のセンサの一部を対応付けている。これにより、着座面がより細かく区画されるので、重心位置が属するエリアを細かに特定することが可能となる。この結果、重心位置が属するエリアと対応したセンサを選定する際にも、より適切にセンサを選定することが可能となる。
【００１２】
また、上記の状態判定システムにおいて、前記記憶部は、前記前後方向において後側に位置する前記エリアの数が前側に位置する前記エリアの数よりも多くなるように前記着座面を区画したときの各々の前記エリアに対して複数の前記センサの一部を対応付けることで規定される前記対応関係を記憶していると、より好適である。
上記の構成では、前後方向において後側に位置するエリアの数が前側に位置するエリアの数よりも多くなるように着座面を区画する。これは、一般に着座者の重心が着座面の後側に位置し易いことを反映している。このように後側でエリア数をより多くすれば、重心位置が属するエリアをより細かに特定することが可能となる結果、重心位置が属するエリアと対応したセンサを選定する際には、より適切にセンサを選定することが可能となる。
【００１３】
また、上記の状態判定システムにおいて、前記センサは、少なくとも３個以上配置されており、前記記憶部は、各々の前記エリアに対して２個の前記センサを対応付けることで規定される前記対応関係を記憶していると、尚好適である。
上記の構成では、各エリアに対して２個のセンサが対応付けられている。つまり、状態判定時に採用されるセンサの計測結果としては、２個のセンサの計測結果となる。このような構成では、仮に２個のセンサのうちの一方に異常が生じたとしても、他方のセンサが正常であれば、当該センサの計測結果に基づいて適切に着座者の生理的状態を判定することが可能となる。
【００１４】
また、上記の状態判定システムにおいて、前記記憶部は、各々の前記エリアに対して、複数の前記センサのうち、各々の前記エリア内に前記重心位置の座標があるときに前記配置位置の座標が前記幅方向において前記重心位置の座標を跨いでいる２個の前記センサを対応付けることで規定される前記対応関係を記憶していると、更に好適である。
上記の構成では、各エリアに重心位置の座標があるとき、当該重心位置の座標を跨ぐ位置に配置された２個のセンサを選定することになっている。一般に、複数のセンサのうち、重心位置を跨ぐ位置に配置された２個のセンサ同士については、その計測結果が互いに相関を示す傾向にある。このため、重心位置の座標を跨ぐ位置に配置された２個のセンサのそれぞれの計測結果を用いれば、より適切に着座者の生理的状態を判定することが可能となる。
【００１５】
また、上記の状態判定システムにおいて、前記記憶部は、前記幅方向において前記着座面の中央位置を挟んで前記エリアが対称的に存在するように前記着座面を区画したときの各々の前記エリアに対して複数の前記センサの一部を対応付けることで規定される前記対応関係を記憶していると、尚一層好適である。
上記の構成では、着座シートの幅方向において着座面の中央位置を挟んで対称的にエリアが存在するように着座面を区画し、各エリアに対して複数のセンサのうちの一部を対応付けている。かかる構成によれば、エリア配置の対称性を利用して、重心位置が属するエリアの特定や当該エリアと対応したセンサの選定をより容易に行うことが可能となる。
【００１６】
また、上記の状態判定システムにおいて、前記記憶部は、前記幅方向に並ぶ少なくとも３つ以上の前記エリアのうち、前記着座面の中央位置により近い前記エリアの前記幅方向における長さが前記中央位置からより離れた前記エリアの前記長さよりも短くなるように前記着座面を区画したときの各々の前記エリアに対して複数の前記センサの一部を対応付けることで規定される前記対応関係を記憶していると、益々好適である。
上記の構成では、着座シートの幅方向に並ぶ少なくとも３つ以上のエリアのうち、着座面の中央位置により近いエリアが、当該中央位置からより離れたエリアに比べて幅狭となるように着座面を区画し、各エリアに対して複数のセンサのうちの一部を対応付けている。このように幅方向に並ぶ各エリアのうち、着座面の中央位置に近いエリアほど幅狭とすることにより、中央位置付近において重心位置が属するエリアをより細やかに特定することが可能となる。この結果、重心位置が属するエリアと対応したセンサを選定する際、より適切なセンサを選定することが可能となる。
【００１７】
また、上記の状態判定システムにおいて、前記前後方向において後側に配置された前記センサの数は、前側に配置された前記センサの数よりも多いと、一段と好適である。
上記の構成では、着座シートの前後方向において後側に配置されたセンサの数が前側に配置されたセンサの数よりも多くなっている。これは、一般に着座者の重心が着座面の後側に位置し易いことを反映している。このように後側でセンサの配置数をより多くすれば、重心位置が属するエリアに対応したセンサとして、より適切なセンサを選定することが可能となる。
【００１８】
また、上記の状態判定システムにおいて、前記前後方向において後側には４個の前記センサが、前記幅方向において前記着座面の中央位置を挟んで対称的に配置され、前側には２個の前記センサが、前記幅方向において前記中央位置を挟んで対称的に配置されていると、更に好適である。
上記の構成では、着座シートの前後方向において後側には４個のセンサが、前側には２個のセンサが、それぞれ着座面の幅方向中央位置を挟んで対称的に配置されている。このように着座面の後側においてセンサの配置数をより多くし、且つ、各センサが着座面の幅方向中央位置を挟んで対称的に配置されていれば、重心位置が属するエリアと対応したセンサとして、より適切なセンサを選定することが可能となる。
【００１９】
また、上記の状態判定システムにおいて、前記記憶部は、各々の前記エリアに対して、複数の前記センサのうち、各々の前記エリア内に前記重心位置の座標があるときに前記生理的活動の前記計測対象値の計測結果への反映度がより高くなる前記センサを対応付けることで規定される前記対応関係を記憶していると、好適である。
上記の構成では、各エリアに対して、当該各エリア内に重心位置の座標があるときに生理的活動の計測対象値の計測結果への反映度がより高くなるセンサが対応付けられている。これにより、重心位置が属するエリアと対応したセンサを上記の対応関係に基づいて選定する際に、適切なセンサを選定することが可能となる。
【００２０】
また、上記の状態判定システムにおいて、前記判定装置は、前記センサ選定部が選定した一部の前記センサの計測結果の変化度合いを特定する変化度合い特定部を更に有し、該変化度合い特定部が特定した前記変化度合いの大きさが閾値を超えたとき、前記エリア特定部が前記エリアを特定し直すのに伴って前記センサ選定部が一部の前記センサを選定し直し、選定し直した一部の前記センサのみの計測結果に基づいて前記判定部が前記生理的状態を判定し、前記変化度合い特定部が特定した前記変化度合いの大きさが前記閾値を下回るとき、前記判定部は、前記変化度合い特定部が前記変化度合いを特定する前の時点で前記センサ選定部が選定した一部の前記センサのみの計測結果に基づいて前記生理的状態を判定すると、好適である。
上記の構成では、センサ選定部が選定したセンサの計測結果が著しく変化した場合、センサの選定を行い、選定し直したセンサの計測結果に基づいて状態判定を行う。このような構成であれば、着座者が動いて重心位置が変わったとしても、センサを選定し直すことにより、変化後の重心位置が属するエリアと対応したセンサを選定することが可能となる。
一方、センサ選定部が選定したセンサの計測結果に顕著な変化が見られない場合、それまで使用してきたセンサの計測結果を引き続き利用し、当該計測結果に基づいて状態判定を行う。つまり、重心位置が変化していない間は、同じセンサの計測結果を用い続けることとし、以て、センサの再選定を行う手間が省略可能となる。
【発明の効果】
【００２１】
本発明によれば、複数のセンサ中、一部のセンサの計測結果に基づいて着座者の生理的状態を判定するにあたり、当該一部のセンサを簡単且つ適切に選定することが可能となる。
また、本発明によれば、着座シートの前後方向及び幅方向のそれぞれにおいて２つ以上のエリアが存在するように着座面を区画することで、重心位置が属するエリアを細かに特定することが可能となる結果、より適切にセンサを選定することが可能となる。
また、本発明によれば、後側に位置するエリアの数が前側に位置するエリアの数よりも多くなるように着座面を区画することで、重心位置が属するエリアをより細かに特定し、より適切なセンサを選定することが可能となる。
また、本発明によれば、各エリアに対して２個のセンサが対応付けられていることで、仮に２個のセンサのうちの一方に異常が生じたときでも、着座者の生理的状態を適切に判定することが可能となる。
また、本発明によれば、各エリアに重心位置の座標があるとき、当該重心位置の座標を跨ぐ位置に配置された２個のセンサを選定することで、着座者の生理的状態をより適切に判定することが可能となる。
また、本発明によれば、着座シートの幅方向において着座面の中央位置を挟んで対称的にエリアが存在するように着座面を区画することで、エリア配置の対称性を利用して、重心位置が属するエリアの特定やセンサの選定をより容易に行うことが可能となる。
また、本発明によれば、幅方向に並ぶ各エリアのうち、着座面の中央位置に近いエリアほど幅狭とすることで、中央位置付近において重心位置が属するエリアをより細やかに特定し、より適切なセンサを選定することが可能となる。
また、本発明によれば、後側に配置されたセンサの数が前側に配置されたセンサの数よりも多くなっていることで、より適切なセンサを選定することが可能となる。
また、本発明によれば、後側に４個のセンサが、前側に２個のセンサが、それぞれ着座面の幅方向中央位置を挟んで対称的に配置されていることにより、より適切なセンサを選定することが可能となる。
また、本発明によれば、各エリアに対して、当該各エリア内に重心位置の座標があるときに生理的活動の計測対象値の計測結果への反映度がより高くなるセンサが対応付けられているため、適切なセンサを選定することが可能となる。
また、本発明によれば、着座者が動いて重心位置が変わったとしても、センサを選定し直して、変化後の重心位置が属するエリアと対応したセンサを選定することが可能となる。一方で、重心位置が変化していない間は、同じセンサの計測結果を用い続けることにより、センサを再度選定する手間を省略することが可能となる。
【図面の簡単な説明】
【００２２】
【図１】本発明の一実施形態に係る状態判定システムの全体構成を示す図である。
【図２】判定装置の構成を機能面から示した図である。
【図３】センサの配置を示す平面図である。
【図４】センサの計測結果を示すグラフである。
【図５】着座面を複数のエリアに区画したときの各エリアの位置を示す図である。
【図６】呼吸に伴う胸部の変位量と各センサの計測結果との関係を示す図である。
【図７】重心位置の座標が変化した際の反映センサに関する実験結果を示す図である。
【図８】エリアと反映センサとの対応関係を示した図である。
【図９】センサの計測結果とその変化度合いを示した図である。
【図１０】状態判定フローの流れを示した図である（その１）。
【図１１】状態判定フローの流れを示した図である（その２）。
【図１２】変形例における、エリアとセンサとの対応関係を示した図である。
【図１３】変形例における、状態判定フローの流れを示した図である。
【発明を実施するための形態】
【００２３】
＜＜本発明の一実施形態に係る状態判定システムについて＞＞
以下、本発明の一実施形態（本実施形態）に係る状態判定システムについて説明する。なお、以下では、車両に搭載された車両用シートを着座シートの一例として挙げて説明することとする。また、以下の説明において、「前後方向」とは、着座シートの前後方向に相当し、車両用シートに着座した着座者から見たときの前後方向、具体的には車両の前後方向（換言すると、走行方向）のことである。また、「幅方向」とは、着座シートの幅方向に相当し、車両用シートに着座した着座者から見たときの左右方向のことである。
【００２４】
本実施形態に係る状態判定システム（以下、本システム１０）は、車両用シートの着座者の生理的状態を判定（推定）するためのシステムである。なお、本実施形態において「生理的状態」とは、着座者の覚醒状態を意味するが、これに限定されるものではない。「生理的状態」は、覚醒状態のほか、着座者の精神安定状態や泥酔状態等、着座者の身体各部（臓器や神経を含む）の働きや機能の正常・異常に関する状態を意味し、このような状態を判定するシステムに対して本発明が適用可能である。
【００２５】
本システム１０の構成について図１を参照しながら説明すると、本システム１０は、センサとしての呼吸センサ１と、判定装置としてのＥＣＵ（Ｅｌｅｃｔｒｏｎｉｃ Ｃｏｎｔｒｏｌ Ｕｎｉｔ）２によって構成されている。図１は、本システム１０の全体構成を概念的に示した図である。
【００２６】
呼吸センサ１は、公知の圧力センサからなり、例えば、ピエゾセンサ式の圧力センサ、半導体ピエゾ抵抗式の圧力センサ、歪みゲージ式の圧力センサ、静電容量式の圧力センサ、あるいはシリコンレゾナント式の圧力センサ等からなる。また、呼吸センサ１は、車両用シートＳのシートクッションＳ１、より具体的には、シートクッションＳ１の着座部（着座者の臀部を支える部分）に備えられている。
【００２７】
そして、呼吸センサ１は、着座者が車両用シートＳに着座した際にシートクッションＳ１の上面、すなわち着座面Ｓｆに掛かる圧力（着座圧）を計測する。ここで、着座圧は、車両用シートＳに着座した着座者の生理的活動、具体的には呼吸に応じて周期的に変化する。つまり、呼吸センサ１は、着座面Ｓｆにおいて着座者の呼吸に応じて変化する着座圧を、計測対象値として計測する。なお、呼吸センサ１は、着座圧を計測する上で着座面Ｓｆの直下位置に配置されており、厳密には、シートクッションＳ１を構成するクッションパッド及びクッションパッドを覆う表皮材との間に挟まれる位置に配置されている。ただし、これに限定されるものではなく、適切に着座圧を計測し得る位置であればよく、例えば、シートクッションＳ１の着座面Ｓｆ上に呼吸センサ１が配置されてもよい。
【００２８】
また、本実施形態において、呼吸センサ１は、図１に示すように、シートクッションＳ１の後方部において互いに異なる位置に複数配置されており、具体的には６箇所に配置されている。各呼吸センサ１の配置位置については後に詳しく説明する。
【００２９】
なお、本実施形態では計測対象値として着座圧を計測することとしたが、これに限定されるものではない。すなわち、着座面Ｓｆにおいて着座者の呼吸に応じて変化する物理量であれば計測対象値とすることが可能であり、例えば、着座面Ｓｆの撓み具合や着座面Ｓｆの温度を計測対象値としてもよい。
【００３０】
ＥＣＵ２は、呼吸センサ１の計測結果に基づいて着座者の覚醒状態を判定する装置である。なお、呼吸センサ１の計測結果（すなわち、着座圧の計測結果）に基づいて着座者の覚醒状態を判定する方法としては、公知の判定方法が利用可能である。一例を挙げると、着座圧の周期的変化を示す波形において、その周期（換言すると、ピーク間の間隔）を求め、当該間隔の値が通常の範囲内にあるか否かによって着座者の覚醒状態を判定することとしてもよい。
【００３１】
ＥＣＵ２のハードウェア構成について概説すると、コントローラ３とメモリ４とがＥＣＵ２の主な構成要素として設けられている。コントローラ３は、不図示の信号処理器、Ａ／Ｄコンバータ及び演算機器によって構成されている。コントローラ３は、呼吸センサ１から、その計測結果を示す信号を受信し、当該信号に対して信号処理及びＡ／Ｄ変換処理を実行した上で所定の演算処理を実行する。そして、コントローラ３は、状態判定用の演算処理を通じて、着座者の覚醒状態を判定する。
【００３２】
また、本実施形態に係るコントローラ３は、複数の呼吸センサ１のうち、一部の呼吸センサ１のみの計測結果に基づいて覚醒状態の判定を行う。これにより、本実施形態では、複数の呼吸センサ１すべての計測結果を用いて覚醒状態の判定を行う場合と比較して、演算処理の負荷が軽減され、且つ、より妥当な判定結果が得られるようになる。かかる効果は、本システム１０によって実現される格別な効果である。以下、当該効果を実現するための構成について詳しく説明する。
【００３３】
上記効果を実現するための構成として、先ず、図２を参照しながらＥＣＵ２の構成をその機能面から改めて説明することとする。図２は、ＥＣＵ２の構成を機能面から示したブロック図である。ＥＣＵ２は、状態判定に係る各種の機能部、具体的には図２に図示の記憶部２１、エリア特定部２２、センサ選定部２３、判定部２４及び変化度合い特定部２５を有する。記憶部２１は、ＥＣＵ２のメモリ４からなり、複数の呼吸センサ１の中から状態判定時に実際に使用するセンサを選定するために必要なデータ（以下、センサ選定用データ）を記憶している。
【００３４】
センサ選定用データについて説明するにあたり、図３を参照しながら、各呼吸センサ１の配置位置について説明する。図３は、各呼吸センサ１の配置を示す平面図である。本実施形態において、複数の呼吸センサ１は、ＸＹ座標空間において各呼吸センサ１の配置位置の座標が互いに異なるように配置されている。ここで、ＸＹ座標空間とは、幅方向及び前後方向の双方を座標軸の軸方向としたときに定められる二次元座標空間のことである。なお、当該座標空間における原点位置の座標については、そのＸ座標が幅方向における着座面Ｓｆの中央位置となっており、そのＹ座標が前後方向における着座面Ｓｆの中央位置よりも幾分後ろ寄りの位置となっている。
【００３５】
複数の呼吸センサ１は、図３に示すように前後に分かれて配置されており、具体的には、より後側に４個の呼吸センサ１が、より前側に２個の呼吸センサ１が、それぞれ幅方向に沿って列状に並ぶように配置されている。また、複数の呼吸センサ１は、Ｙ軸（換言すると、幅方向における着座面Ｓｆの中央位置）を挟んで左右対称に配置されている。すなわち、シートクッションＳ１の後方部において、より後側の領域には４個の呼吸センサ１がＹ軸を挟んで対称的に配置されており、より前側の領域には２個の呼吸センサ１がＹ軸を挟んで対称的に配置されている。このように後側の領域でのセンサ配置数が前側の領域でのセンサ配置数よりも多くなっているのは、一般的に着座者の重心が着座面Ｓｆにおいてより後側に位置し易いことを反映している。
【００３６】
なお、以下では、各呼吸センサ１を識別する上で６個の呼吸センサ１を、Ａのセンサ、Ｂのセンサ、Ｃのセンサ、Ｄのセンサ、Ｅのセンサ、Ｆのセンサと呼ぶこととする。ちなみに、各呼吸センサ１の配置位置の座標は、下記の通りである。
（Ａのセンサの配置位置）＝（Ｘａ，０）  Ｘａは０より大きい任意の実数
（Ｂのセンサの配置位置）＝（Ｘｂ，０）  Ｘｂは０より大きくＸａよりも小さい実数
（Ｃのセンサの配置位置）＝（Ｘｂ，Ｙｃ）  Ｙｃは０より大きい任意の実数
（Ｄのセンサの配置位置）＝（−Ｘｂ，Ｙｃ）
（Ｅのセンサの配置位置）＝（−Ｘｂ，０）
（Ｆのセンサの配置位置）＝（−Ｘａ，０）
【００３７】
ところで、上記の如く各呼吸センサ１の配置位置が異なるため、６個の呼吸センサ１のそれぞれが計測する着座圧についても異なってくる。具体的に説明すると、ある着座状態（厳密には、座位置や着座姿勢）にて着座者が車両用シートＳに座った状態で各呼吸センサ１が着座圧を計測すると、図４に示すように、計測結果を示す波形（以下、呼吸波形）がセンサ毎に異なる。図４は、呼吸センサ１別の呼吸波形を示す図である。
【００３８】
各呼吸センサ１の呼吸波形は、上記の如くセンサ毎に異なり、また、着座者の着座状態に応じて変動する。一方で、状態判定時に実際使用する呼吸センサ１としては、６個の呼吸センサ１中、呼吸波形の波形パターンが着座者の呼吸動作をより反映しているセンサ（以下、反映センサ）を選定する必要がある。そこで、本実施形態では、着座状態が変化したときに６個の呼吸センサ１中、どのセンサが反映センサに該当するのかを明らかにし、その結果に基づいて着座面Ｓｆをエリア分けしている。
【００３９】
より具体的に説明すると、本実施形態では、図５に示すように、着座面ＳｆをＸＹ座標空間において複数のエリアに区画している。図５は、着座面Ｓｆを複数のエリアに区画したときの各エリアの位置を示す図である。また、各エリアには、呼吸センサ１が一つずつ対応している。より詳しく説明すると、各エリアには、図５中、各エリアに付された記号と同じ記号の呼吸センサ１が対応付けられており、例えば、エリアＡにはＡのセンサが対応付けられている。
【００４０】
各エリア及び当該各エリアと対応した呼吸センサ１の関係について説明すると、ＸＹ座標空間における着座者の重心位置の座標があるエリア内にあるとき、当該あるエリアと対応した呼吸センサ１は、その時点での反映センサとなる。つまり、図５に示した着座面Ｓｆ中の各エリアは、当該エリア内に着座者の重心位置の座標があるときにどの呼吸センサ１が反映センサとなるのかを示したもの（換言すると、反映センサとなる呼吸センサ１とその適用範囲）である。そして、各エリアの範囲と、当該エリア内に重心位置の座標があるときに反映センサとなる呼吸センサ１と、の対応関係を示すデータが生成され、センサ選定用データとして記憶部２１に記憶されている。以下、上記の対応関係について詳しく説明する。
【００４１】
上記の対応関係は、着座面を複数のエリアに区画したときの各々のエリアに対して６個の呼吸センサ１の一部を対応付けることで規定されるものである。具体的に説明すると、各々のエリアに対して、当該エリア内に着座者の重心位置の座標があるときに反映センサとなる呼吸センサ１を対応付けることで規定される。ここで、反映センサの特定方法について説明すると、あるエリア内に着座者の重心位置があるときに、６個の呼吸センサ１のうち、「呼吸波形への呼吸動作の反映度」が最も高くなるセンサを反映センサとして特定する。「呼吸波形への呼吸動作の反映度」とは、呼吸動作が呼吸波形（着座圧の計測結果）に反映される際の度合いを意味する。
【００４２】
反応センサの特定方法についてより詳しく説明すると、あるエリア内に着座者の重心位置がある状態において、各呼吸センサ１にて着座圧を計測するとともに、着座者の呼吸動作に伴って顕著に変化する物理量、例えば着座者の胸部の変位量（つまり、胸部の膨らみ量）を別センサにて計測する。計測終了後、各呼吸センサ１の計測結果から得られる呼吸波形と、胸部の変位量の計測結果から得られる波形（以下、胸部変位波形）と、を対比する。ここで、両波形を対比すると、図６に示すように、呼吸センサ１別の呼吸波形の中で、波形パターンが胸部変位波形と最も近似する呼吸波形が特定される。かかる呼吸波形が、着座者の呼吸動作の反映度が最も高い呼吸波形に相当し、この呼吸波形を得た呼吸センサ１が反映センサに相当する。なお、図６は、胸部変位波形と呼吸センサ１別の呼吸波形とを示す図である。ちなみに、同図では、図示を分かり易くするため、６個の呼吸センサ１中、Ａ〜Ｃのセンサの呼吸波形のみを図示し、Ｄ〜Ｆのセンサの呼吸波形を省略している。
【００４３】
以上の特定方法に則って、着座者の重心位置が変化したときの反映センサ（厳密には、反映センサに該当する呼吸センサ１）を実験的に明らかにすることで、図７に示す結果が得られる。図７は、重心位置の座標が変化した際の反映センサを実験的に明らかにした図であり、同図中の各プロットが重心位置を示しており、各プロットの脇に表示された記号が反映センサに該当する呼吸センサ１を示している。
【００４４】
そして、図７に図示した実験結果に基づいてエリア分けすることで、着座面Ｓｆが図５に示すように複数のエリア（図５では６つのエリア）に区画される。その上で、各エリアと当該エリア内に重心位置の座標があるときに反映センサとなる呼吸センサとの対応関係を示すデータ、すなわち、選定用データが生成されて記憶部２１に記憶される。そして、本実施形態では、図８に図示した対応関係を示すデータが選定用データとして記憶される。図８は、各エリアと反映センサとの対応関係を示した図であり、具体的には、各エリアの範囲を示す座標（Ｘ座標及びＹ座標）と、当該エリア内に重心位置の座標があるときに反映センサに該当する呼吸センサ１とが示されている。なお、図中のＸｓ及びＹｓは、エリアの境界線を規定するための座標値であり、例えば図７に示す実験結果から特定される。
【００４５】
本実施形態に係る着座面Ｓｆのエリア分けについて図８を参照しながらより詳しく説明すると、着座面Ｓｆは、幅方向及び前後方向の双方においてそれぞれ２つ以上のエリアが存在するように区画される。換言すると、記憶部２１が記憶する選定用データは、幅方向及び前後方向のそれぞれにおいて２つ以上のエリアが存在するように着座面Ｓｆを区画したときの各エリアに対して、当該エリア内に重心位置の座標があるときに反映センサとなる呼吸センサ１を対応付けることで規定される対応関係を示すことになる。
【００４６】
また、本実施形態において、着座面Ｓｆは、前後方向において後側に位置するエリアの数が前側に位置するエリアの数よりも多くなるように区画される。換言すると、記憶部２１が記憶する選定用データは、後側に位置するエリアの数が前側に位置するエリアの数よりも多くなるように区画したときの各エリアに対して、当該エリア内に重心位置の座標があるときに反映センサとなる呼吸センサ１を対応付けることで規定される対応関係を示すことになる。なお、上述したように後側に位置するエリアの数を前側に位置するエリアの数よりも多くしているのは、一般に着座者の重心が着座面Ｓｆの後側に位置し易いことを反映している。
【００４７】
さらに、本実施形態において、着座面Ｓｆは、幅方向において着座面Ｓｆの中央位置を挟んでエリアが対称的に存在するように区画されている。換言すると、記憶部２１が記憶する選定用データは、幅方向において着座面Ｓｆの中央位置を挟んでエリアが対称的に存在するように着座面Ｓｆを区画したときの各エリアに対して、当該エリア内に重心位置の座標があるときに反映センサとなる呼吸センサ１を対応付けることで規定される対応関係を示すことになる。
【００４８】
なお、本実施形態では、図５に示すように、着座面Ｓｆの後側の領域（具体的には、後端部）には４つのエリアがＹ軸を挟んで対称的に配置されており、より前側の領域（後端部よりも前方に位置する領域）には２つのエリアがＹ軸を挟んで対称的に配置されている。
【００４９】
さらにまた、本実施形態において、着座面Ｓｆは、より後側で幅方向に並ぶ４つのエリアのうち、着座面Ｓｆの中央位置により近いエリア（例えば図５中のエリアＢ、エリアＥ）が中央位置からより離れたエリア（例えば図５中のエリアＡ、エリアＦ）に比して幅狭となるように区画される。換言すると、記憶部２１が記憶する選定用データは、着座面Ｓｆの中央位置近傍のエリアの幅（幅方向における長さ）がより外側に位置するエリアの幅よりも短くなるように着座面Ｓｆを区画したときの各エリアに対して、当該エリア内に重心位置の座標があるときに反映センサとなる呼吸センサ１を対応付けることで規定される対応関係を示すことになる。
【００５０】
次に、エリア特定部２２、センサ選定部２３、判定部２４及び変化度合い特定部２５について説明する。これらの機能部は、コントローラ３、より具体的には、コントローラ３に搭載された信号処理器、Ａ／Ｄコンバータ及び演算機器、並びに演算機器が実行する演算プログラムによって構成されるものである。
【００５１】
エリア特定部２２は、ＸＹ座標空間における着座者の重心位置の座標を算出する。具体的に説明すると、本実施形態において、エリア特定部２２は、６個の呼吸センサ１のうち、Ｙ軸を挟む位置に配置されたセンサ（厳密には、Ｂ〜Ｅのセンサ）の計測結果に基づいて重心位置の座標を算出する。より詳しく説明すると、Ｂのセンサの計測結果をＰｂとし、Ｃのセンサの計測結果をＰｃとし、Ｄのセンサの計測結果をＰｄとし、Ｅのセンサの計測結果をＰｅとしたとき、重心位置のＸ座標Ｇｘ及びＹ座標Ｇｙは、下記の式によって算出される。
Ｇｘ＝｛ｍ×（Ｐｂ＋Ｐｃ）＋（−ｍ）×（Ｐｄ＋Ｐｅ）｝／（Ｐｂ＋Ｐｃ＋Ｐｄ＋Ｐｅ）
Ｇｙ＝｛ｎ×（Ｐｃ＋Ｐｄ）｝／（Ｐｂ＋Ｐｃ＋Ｐｄ＋Ｐｅ）
ｍ＝Ｘｂ，ｎ＝Ｙｃ
【００５２】
また、エリア特定部２２は、重心位置の座標を算出した後、着座面Ｓｆを上記の通りに区画してなる６つのエリアのうち、どのエリア内に重心位置の座標があるのかを特定する。
【００５３】
センサ選定部２３は、記憶部２１が記憶している選定用データが示す対応関係に基づいて、６個の呼吸センサ１のうち、エリア特定部２２が特定したエリアと対応したセンサ、すなわち、重心位置が属するエリアと対応したセンサを選定する。判定部２４は、センサ選定部２３が選定したセンサのみの計測結果に基づいて着座者の覚醒状態を判定する。
【００５４】
変化度合い特定部２５は、センサ選定部２３が選定した呼吸センサ１の計測結果の変化度合いを特定する。ここで、変化度合いとは、センサ選定部２３が選定した呼吸センサ１が計測する着座圧の、単位時間あたりの変化量のことである。具体的には、着座圧の経時変化を示す呼吸波形を一階微分することで得られる速度成分（以下、圧力変化速度）のことである。なお、変化度合いは、例えば車両用シートＳに着座している着座者が身動き等をすると、図９に示すように急激に変化する。図９は、呼吸センサ１の計測結果とその変化度合いを示した図であり、図中の上図が、計測結果を示す波形（呼吸波形）を示しており、図中の下図が、変化度合い（圧力変化速度）の波形を示している。
【００５５】
また、変化度合い特定部２５は、特定した変化度合い（圧力変化速度）の大きさが閾値を超えているか否かを判定する。図９を参照しながら詳しく説明すると、変化度合い特定部２５は、センサ選定部２３が選定した呼吸センサ１の計測結果について、その変化度合いである圧力変化速度を一定間隔毎に特定する。ここで、時間ｔ１及びｔ２において着座者が身動きをしたとすると、呼吸センサ１の計測結果が急激に変化し、これに伴って圧力変化速度も急増（又は急減）する。
【００５６】
一方、変化度合い特定部２５は、圧力変化速度を特定する都度、その圧力変化速度の大きさが閾値（図９中のＴｈ）を超えているか否かを判定する。図９に図示のケースでは、着座者が時間ｔ１及びｔ２にした身動きに伴って圧力変化速度の大きさが閾値Ｔｈを超えたため、変化度合い特定部２５は、圧力変化速度の大きさが閾値Ｔｈを超えたと判定する。
【００５７】
なお、本実施形態では、呼吸センサ１の計測結果の変化度合いとして、当該計測結果から得られる呼吸波形を一階微分することで得らえる速度成分（圧力変化速度）を用いることとしたが、これに限定されるものではない。例えば、圧力変化速度の波形を更に微分することで得られる加速度成分（圧力変化加速度）を用いてもよい。
【００５８】
次に、以上までに説明してきた本システム１０によって実施される状態判定フローについて、図１０及び１１を参照しながら説明する。図１０及び１１は、状態判定フローの流れを示している。
【００５９】
状態判定フローに先立ち、車両用シートＳの着座面Ｓｆが前述の通り６つのエリアに区画される。また、状態判定フローに先立ち、上記６つのエリアのそれぞれに対して、当該エリア内に重心位置の座標があるときに反映センサとなる呼吸センサ１を対応付けておく。さらに、状態判定フローに先立ち、各エリアと呼吸センサ１との対応関係を示すデータ、すなわち、選定用データを生成してＥＣＵ２のメモリ４内に記憶しておく。
【００６０】
一方、状態判定フローは、着座者が車両用シートＳに着座した時点で開始される。状態判定フローが開始されると、先ず、６個の呼吸センサ１の各々が計測を開始し、コントローラ３が各呼吸センサ１から計測結果を取得する（Ｓ００１）。この際、コントローラ３は、６個の呼吸センサ１のうち、４個の呼吸センサ１（具体的には、Ｂ〜Ｅのセンサ）の計測結果のみを取得する。また、コントローラ３は、上記４個の呼吸センサ１のそれぞれについて、所定時間分（例えば３０秒間）の計測結果を取得した上で、当該所定時間における計測結果の平均値を算出する。
【００６１】
次に、コントローラ３は、前ステップＳ００１で取得した４個の呼吸センサ１の計測結果（厳密には、所定時間における平均値）を用いて、着座者の重心位置の座標を算出する（Ｓ００２）。その算出結果に基づき、コントローラ３は、重心位置の座標がどのエリアにあるのかを特定する（Ｓ００３、Ｓ００４、Ｓ００７、Ｓ００８、Ｓ０１１）。その後、コントローラ３は、記憶部２１に記憶されている選定用データを読み出し、同データが示す対応関係から、重心位置が属するエリアと対応した呼吸センサ１を選定する（Ｓ００５、Ｓ００６、Ｓ００９、Ｓ０１０、Ｓ０１２、Ｓ０１３）。
【００６２】
以後、コントローラ３は、６個の呼吸センサ１の中から選定した一のセンサの計測結果に基づいて、着座者の覚醒状態を判定することになる。ただし、本実施形態では、センサ選定後に着座者が身動き等をして重心位置が変わった場合には、センサ選定を再度実施し、状態判定時に使用する呼吸センサ１を選定し直すこととしている。かかる流れを図１１に沿って説明すると、センサ選定後、選定した呼吸センサ１の計測結果を一定間隔毎に取得する（Ｓ０１４）。その一方で、コントローラ３（具体的には、変化度合い特定部２５）が上記呼吸センサ１の計測結果の変化度合い、すなわち、圧力変化速度を特定する（Ｓ０１５）。そして、特定した圧力変化速度の大きさが閾値Ｔｈを超えていない場合（Ｓ０１６でＮｏ）、コントローラ３は、圧力変化速度を特定する前の時点で選定した呼吸センサ１の計測結果に基づいて着座者の覚醒状態を判定することになる（Ｓ０１７）。
【００６３】
一方で、特定した圧力変化速度の大きさが閾値Ｔｈを超えた場合（Ｓ０１６でＹｅｓ）、ステップＳ００１に戻り、上述した一連の工程を最初からやり直す。つまり、コントローラ３は、着座者の重心位置の座標がどのエリアにあるかを特定し直し、これに伴って、特定したエリアと対応した呼吸センサ１についても選定し直す。その後、コントローラ３は、選定し直した呼吸センサ１の計測結果に基づいて、着座者の覚醒状態を判定する（Ｓ０１７）。
【００６４】
以上までに説明してきたように、本実施形態に係る状態判定フローでは、状態判定に係る演算処理の負荷を軽減する目的から６個の呼吸センサ１の中から１個のセンサを選定することとした。また、センサ選定時には、使用する着座者の着座位置を考慮して覚醒状態を判定する上で適当な呼吸センサ１、厳密には反映センサに相当する呼吸センサ１を選定することとした。このような状態判定フローによれば、６個の呼吸センサ１中、覚醒状態の判定時において実際に用いるセンサとして１個の呼吸センサ１のみを選定する際、簡単且つ適切に選定することが可能となる。
【００６５】
また、本実施形態では、センサ選定後に着座者が動いて重心位置が変化した場合には、センサ選定をやり直し、変化後の重心位置が属するエリアと対応したセンサを改めて選定する。これにより、重心位置が変化した後にも着座者の覚醒状態を適切に判定することが可能となる。その一方で、重心位置が変化していない場合には、それまで使用してきた呼吸センサ１の計測結果を引き続き利用し、当該計測結果に基づいて覚醒状態を判定する。これにより、重心位置が変化していない場合は、センサの再選定を行う必要がなく、その分の手間を省略することが可能である。
【００６６】
＜＜変形例に係る状態判定システムについて＞＞
以上までに説明してきた実施形態では、６個の呼吸センサ１中、１個の呼吸センサ１の計測結果に基づいて着座者の覚醒状態を判定することとしたが、これに限定されるものではない。すなわち、６個の呼吸センサ１中、２個の呼吸センサ１の計測結果に基づいて覚醒状態を判定する構成例（以下、変形例）も考えられる。以下では、変形例に係る状態判定システムについて説明することとする。なお、以下では、既述の実施形態に係る状態判定システム（すなわち、本システム１０）と相違する内容のみを説明し、本システム１０と共通する内容については説明を省略することとする。
【００６７】
変形例では、着座面Ｓｆを６つのエリアに区画したときの各エリアに対して、当該エリア内に重心位置の座標があるときに反映センサとなる呼吸センサ１が対応付けられると共に、反映センサと対をなす呼吸センサ１が併せて対応付けられる。すなわち、変形例では、各エリアに対して２個の呼吸センサ１が対応付けられていることになる。換言すると、変形例において記憶部２１が記憶する選定用データは、各エリアに対して２個の呼吸センサ１を対応付けることで規定される対応関係を示すことになる。
【００６８】
なお、反映センサと対をなす呼吸センサ１とは、反映センサを除く５個の呼吸センサ１のうち、自己の計測結果と反映センサの計測結果との間の相関性が最も高くなるセンサのことである。具体的には、図１２に図示した各エリアと対応した２個の呼吸センサ１のうち、反映センサに該当する呼吸センサ１と対をなす呼吸センサ１のことである。図１２は、変形例における、各エリアと呼吸センサ１との対応関係を示した図である。
【００６９】
変形例に係る上記の対応関係について、図５及び図１２を参照しながらより詳しく説明すると、図５中、エリアＡ内に着座者の重心位置の座標があるとき、Ａのセンサが反映センサに該当し、Ｅのセンサが対をなすセンサに該当する。同様に、エリアＢ内に重心位置があるとき、Ｂのセンサが反映センサに該当し、Ｅのセンサが対をなすセンサに該当する。また、エリアＣ内に重心位置があるとき、Ｃのセンサが反映センサに該当し、Ｄのセンサが対をなすセンサに該当する。また、エリアＤ内に重心位置があるとき、Ｄのセンサが反映センサに該当し、Ｃのセンサが対をなすセンサに該当する。また、エリアＥ内に重心位置があるとき、Ｅのセンサが反映センサに該当し、Ａのセンサが対をなすセンサに該当する。また、エリアＦ内に重心位置があるとき、Ｆのセンサが反映センサに該当し、Ａのセンサが対をなすセンサに該当する。
【００７０】
ここで、ある時の重心位置の座標に対する反映センサと当該反映センサと対をなすセンサとの間の位置関係について説明すると、幅方向において両センサの間には上記ある時の重心位置の座標が存在することになっている。つまり、変形例において記憶部２１が記憶する選定用データは、各エリアに対して、６個の呼吸センサ１のうち、当該エリア内に重心位置の座標があるときにセンサ配置位置の座標が幅方向において重心位置の座標を跨いでいる２個の呼吸センサ１を対応付けることで規定される対応関係を示すことになる。
【００７１】
次に、変形例に係る状態判定フローについて図１３を参照しながら説明する。図１３は、変形例に係る状態判定フローの流れを示した図であり、図１０と対応している。変形例に係る状態判定フローのうちの大半のステップは、図１３に示すように、既に説明した実施形態に係る状態判定フローと同様である。すなわち、状態判定フローが開始されると、６個の呼吸センサ１の各々が計測を開始し、コントローラ３が４個の呼吸センサ１（厳密には、Ｂ〜Ｅのセンサ）から計測結果を取得する（Ｓ０２１）。また、コントローラ３は、前ステップＳ０２１で取得した呼吸センサ１の計測結果に基づいて、着座者の重心位置の座標を算出する（Ｓ０２２）。その算出結果に基づき、コントローラ３は、重心位置の座標がどのエリアにあるのかを特定する（Ｓ０２３、Ｓ０２４、Ｓ０２７、Ｓ０２８、Ｓ０３１）。その後、コントローラ３は、記憶部２１に記憶された選定用データを読み出し、同データが示す対応関係から、重心位置が属するエリアと対応した２個の呼吸センサ１を選定する（Ｓ０２５、Ｓ０２６、Ｓ０２９、Ｓ０３０、Ｓ０３２、Ｓ０３３）。
【００７２】
そして、変形例では、６個の呼吸センサ１の中から選定した２個の呼吸センサ１の計測結果に基づいて、コントローラ３が着座者の覚醒状態を判定することになる。厳密に説明すると、変形例に係るコントローラ３は、選定した２個の呼吸センサ１の計測結果を平均し、その平均値に基づいて覚醒状態を判定する。
【００７３】
以上までに説明してきたように、変形例に係る状態判定フローでは、６個の呼吸センサ１の中から２個のセンサを選定し、当該２個のセンサに基づいて着座者の覚醒状態を判定することとした。このような状態判定フローによれば、選定した２個の呼吸センサ１のうちの一方のセンサに異常が生じたとしても、他方のセンサが正常であれば、当該センサの計測結果に基づいて適切に着座者の覚醒状態を判定することが可能となる。
【００７４】
＜＜その他の実施形態について＞＞
以上までに説明してきた実施形態では、本発明の状態判定システムの構成及び動作について一例を挙げて説明したが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００７５】
また、上記の実施形態では、着座シートの一例として車両用シートＳを挙げたが、これに限定されるものではない。本発明は、例えば会社や学校、工場、映画館等の娯楽施設、病院及び住宅等で利用される一般的な着座シート（座席）に座る着座者の生理的状態を判定する場合にも適用可能である。また、本発明は、車両以外の乗物に搭載された着座シートに座る着座者の生理的状態を判定するケースにも適用可能である。
【００７６】
また、上記の実施形態では、シートクッションＳ１の後方部においてより後側の領域に４個の呼吸センサ１が、より前側の領域には２個の呼吸センサ１が、それぞれ着座面Ｓｆの幅方向中央位置を挟んで対称的に配置されていることとした。ただし、呼吸センサ１の個数及び配置位置については、上記の内容に限定されるものではない。なお、上記の実施形態のように後側の領域における呼吸センサ１の配置数をより多くし、且つ、各呼吸センサ１が着座面Ｓｆの幅方向中央位置を挟んで対称的に配置されていれば、重心位置が属するエリアと対応したセンサとして、適切な呼吸センサ１を選定することが可能となる。
【００７７】
また、上記の実施形態では、着座面Ｓｆを図５に示すようにエリア分けした。具体的には、幅方向及び前後方向のそれぞれにおいて２つ以上のエリアが存在するようにエリア分けした。ただし、これに限定されるものではなく、幅方向及び前後方向の少なくとも一方において２つ以上のエリアが存在するようにエリア分けしてもよい。なお、上記の実施形態のようにエリア分けすれば、着座面Ｓｆがより細かく区画され、重心位置が属するエリアを細かに特定することが可能となる。この結果、重心位置が属するエリアと対応した呼吸センサ１を選定する際に、より適切なセンサを選定することが可能となる。
【００７８】
また、上記の実施形態では、前後方向において後側に位置するエリアの数が前側に位置するエリアの数よりも多くなるようにエリア分けした。ただし、これに限定されるものではなく、後側に位置するエリアの数よりも前側に位置するエリアの数が多い、若しくは同数であってもよい。なお、上記の実施形態のようにエリア分けすれば、着座者の重心が位置し易い着座面Ｓｆの後側領域におけるエリア数がより多くなるので、重心位置が属するエリアをより細かに特定することが可能となる。この結果、重心位置が属するエリアと対応したセンサを選定する際に、より適切なセンサを選定することが可能となる。
【００７９】
また、上記の実施形態では、着座面Ｓｆの幅方向中央位置を挟んでエリアが対称的に存在するようにエリア分けした。ただし、これに限定されるものではなく、各エリアの配置位置が幅方向において非対称な位置関係になっていてもよい。なお、上記の実施形態のようにエリア分けすれば、エリア配置の対称性を利用して、重心位置が属するエリアの特定、及びセンサの選定をより容易に行うことが可能となる。
【００８０】
また、上記の実施形態では、幅方向に列状に並んだ複数のエリア（具体的には４つのエリア）のうち、着座面Ｓｆの幅方向中央位置近傍にあるエリアの幅が幅方向中央位置から離れたエリアの幅よりも短くなるようにエリア分けした。ただし、これに限定されるものではなく、幅方向中央位置近傍のエリアの幅が幅方向中央位置から離れたエリアの幅よりも長くなっていてもよい。なお、上記の実施形態のようにエリア分けすれば、幅方向に並ぶ各エリアのうち、着座面Ｓｆの幅方向中央位置に近いエリアほど幅狭となるので、幅方向中央位置付近において重心位置が属するエリアをより細やかに特定することが可能となる。この結果、重心位置が属するエリアと対応したセンサを選定する際には、より適切なセンサを選定することが可能となる。
【符号の説明】
【００８１】
１  呼吸センサ（センサ）
２  ＥＣＵ（判定装置）
３  コントローラ
４  メモリ
１０  本システム（状態判定システム）
２１  記憶部
２２  エリア特定部
２３  センサ選定部
２４  判定部
２５  変化度合い特定部
Ｓ  車両用シート（着座シート）
Ｓ１  シートクッション
Ｓｆ  着座面
【図１】
2016120143.tif 000003
【図２】
2016120143.tif 000004
【図３】
2016120143.tif 000005
【図４】
2016120143.tif 000006
【図５】
2016120143.tif 000007
【図６】
2016120143.tif 000008
【図７】
2016120143.tif 000009
【図８】
2016120143.tif 000010
【図９】
2016120143.tif 000011
【図１０】
2016120143.tif 000012
【図１１】
2016120143.tif 000013
【図１２】
2016120143.tif 000014
【図１３】
2016120143.tif 000015